(57)【特許請求の範囲】
【請求項１】
建物の外壁に形成された開口窓枠に開閉自在に支持された建具材を洗浄するための外装建具材洗浄装置であって、
給水源に配管接続され、該給水源から供給された供給水に気泡を含有させた泡洗浄液を生成する泡洗浄液生成装置と、該泡洗浄液生成装置に接続され、前記泡洗浄液を給液する給液管路と、前記建具材の上方に配管され、前記給液管路に接続された吐水用管路と、該吐水用管路に形成され、前記泡洗浄液を前記建具材面に沿わせて流下させる吐水口と、前記建具材の開閉状態を検知する開閉検知手段と、該開閉検知手段の検知信号に基づいて前記泡洗浄液の吐出を制御する制御手段と、を備え、
前記制御手段は、前記建具材が開状態であれば、前記泡洗浄液を吐出させないように制御することを特徴とする外装建具材洗浄装置。
【請求項２】
請求項１において、
前記建具材は、ガラス材と、該ガラス材の四周を囲む框材とを有したガラス窓とされており、
前記吐水用管路は、前記ガラス窓の框材上辺部内に配設されていることを特徴とする外装建具材洗浄装置。
【請求項３】
請求項１または２において、
前記吐水口は、前記吐水用管路の軸方向に形成されたスリット開口として構成されていることを特徴する外装建具材洗浄装置。
【請求項４】
請求項１または２において、
前記吐水口は、前記吐水用管路の軸方向に配列された多数の小孔からなることを特徴とする外装建具材洗浄装置。
【請求項５】
請求項１乃至４のいずれか１項において、
前記泡洗浄液生成装置は、空気を導入するエジェクタ部と、洗剤液を導入するための洗剤液導入部と、該エジェクタ部及び該洗剤液導入部の下流側に配設された微細気泡発生部とを備え、前記給水源からの給水によって、前記洗剤液と水とを混合させると共に、外気を吸い込んで該混合水に微細な気泡を発生させる構成にしていることを特徴とする外装建具材洗浄装置。
【請求項６】
請求項５において、
前記泡洗浄液生成装置は、前記洗剤液導入部への洗剤液の導入を遮断する洗剤液導入遮断手段を更に備えていることを特徴とする外装建具材洗浄装置。
【発明の詳細な説明】
【技術分野】
【０００１】
本発明は、建物の外壁に形成された開口窓枠に支持されたガラス窓や網戸、雨戸等の建具材を洗浄するための洗浄装置に関する。
【背景技術】
【０００２】
建物の外壁に形成された開口窓枠に支持されたガラス窓や網戸、雨戸等の建具材は、大気中を浮遊する塵埃や自動車などの排気ガスによる油分などが付着して汚れるため、清浄に保つ為には、頻繁に清掃を行うことが必要とされる。
特に幹線道路沿いに立地する建物は汚れの付着もひどくなり、例えば飲食店等の清潔性が要求される商店では、上記建具材を清浄に保つことが好ましいが、特にガラス窓は、汚れの付着が目立ちやすく、清浄に保つ為には、頻繁に清掃を行うことが必要とされる。
しかし、手作業による清掃は、多大な労力を必要とするため、各種の洗浄装置が提案されている。
【０００３】
例えば、下記特許文献１では、サッシ窓枠の下方外面に水道ホースジョイント部を設け、このジョイント部からサッシ窓枠内を通ってサッシ窓枠上方水平枠へと延設される送水管を設け、この窓枠上方水平枠の下面に連設開口された放水口を有している。また、サッシ窓枠上方水平枠と下方水平枠とには、スライド溝をそれぞれ凹設するとともに、窓ガラス面を適宜圧接するスキージワイパーを備え、該スキージワイパーを上記スライド溝に、スライド自在に遊嵌させた構成としたサッシ窓ガラス面清掃装置が開示されている。
このものでは、上記放水口から窓ガラス面に沿って適宜量の洗浄水を均一に流下させるとともに、上記スキージワイパーを左右往復動することで、効率的な洗浄清掃がなされる、と説明されている。
【０００４】
また、下記特許文献２では、表面に光触媒がコーティングされたガラス面に対して少量の水を流下させて表面の汚れを洗浄しながら気化熱により室内の冷房効果を高める建築物の冷却装置が開示されている。
この建築物の冷却装置は、ガラス面の上部に取付けられガラス面側に開放した略半円状の収容室と、該収容室に収容される多孔質素材からなるホースと、該ホースに並設されホースから浸出した水を含浸させて上記収容室の下部とガラス面との間に形成された間隙部から含浸させた水を流下させるためのスポンジ等からなる通水部材とを備えている。
このものでは、通水部材から流下する水は、ガラス面にコーティングされた光触媒の超親水性により、ガラス面の全面に薄く均一に広げられて流下するので、水が流下した部分と流下しない部分とに差が生じず、まだら模様が生じない、と説明されている。
【特許文献１】特許第２９２０２４３号公報
【特許文献２】特開２００４−３６０２９２号公報
【発明の開示】
【発明が解決しようとする課題】
【０００５】
上記特許文献１に記載のサッシ窓ガラス面清掃装置では、放水された洗浄水と、スキージワイパーの駆動により、窓ガラス面を効率的に洗浄することは可能と思われる。しかしながら、スキージワイパーを駆動させるためのアーム等が必要であり構造が複雑化するのみならず、そのアーム等が露出しているので、美観性を損なうものであった。
また、上記特許文献２に記載の建築物の冷却装置は、光触媒がコーティングされたガラス面等に対しては、通水部材から流下する水を、薄く均一に広げることは可能と思われる。しかしながら、ガラス面に対して光触媒をコーティングする必要があり、また、このものでは、主にガラス面に水を流下させることで気化熱により室内の冷房効果を高めることを目的としており、上記のような建具材を積極的に洗浄することを意図するものではない。すなわち、このものでは、通水部材から流下した水は、流動性に富み、ガラス面に沿って、速やかに流下し、ガラス面に対する洗浄作用が十分に発揮されないまま、ガラス面の下部に至ることが予想される。
【０００６】
本発明は、上記実情に鑑みなされたものであり、建物の外壁に形成された開口窓枠に支持されたガラス窓や網戸、雨戸等の建具材の洗浄を好適に行うことができる外装建具材洗浄装置を提供することを目的としている。
【課題を解決するための手段】
【０００７】
本発明に係る外装建具材洗浄装置は、建物の外壁に形成された開口窓枠に開閉自在に支持された建具材を洗浄するための外装建具材洗浄装置であって、給水源に配管接続され、該給水源から供給された供給水に気泡を含有させた泡洗浄液を生成する泡洗浄液生成装置と、該泡洗浄液生成装置に接続され、前記泡洗浄液を給液する給液管路と、前記建具材の上方に配管され、前記給液管路に接続された吐水用管路と、該吐水用管路に形成され、前記泡洗浄液を前記建具材面に沿わせて流下させる吐水口と、前記建具材の開閉状態を検知する開閉検知手段と、該開閉検知手段の検知信号に基づいて前記泡洗浄液の吐出を制御する制御手段と、を備え、前記制御手段は、前記建具材が開状態であれば、前記泡洗浄液を吐出させないように制御することを特徴とする（請求項１）。
ここに、上記建具材は、建物の外壁に形成された開口窓枠に支持されるガラス窓や網戸、雨戸などの外装材を指す。また、上記開口窓枠は、採光用、通気用、出入り用等種々の目的で形成されたものを含む。さらに、開口窓枠に建具材が支持されている態様としては、建具材の全周が開口窓枠の内周に当接して支持されているもののみならず、建具材の少なくとも一辺部が開口窓枠の一辺部に支持されているものも含む。
【０００８】
本発明において、前記建具材を、ガラス材と、該ガラス材の四周を囲む框材とを有したガラス窓として、前記吐水用管路を、前記ガラス窓の框材上辺部内に配設する（請求項２）ようにしてもよい。
【０００９】
また、本発明において、前記吐水口を、スリット状の開口からなるもの（請求項３）、或いは、多数の小孔からなるもの（請求項４）とすることが可能であるが、スリットの形状や小孔の形状及び個数等は、泡洗浄液が建具材面に広く且つ隈なく行き渡るように設計及び設定される。
【００１０】
また、本発明において、前記泡洗浄液生成装置は、空気を導入するエジェクタ部と、洗剤液を導入するための洗剤液導入部と、該エジェクタ部及び該洗剤液導入部の下流側に配設された微細気泡発生部とを備え、前記給水源からの給水によって、前記洗剤液と水とを混合させると共に、外気を吸い込んで該混合水に微細な気泡を発生させる構成（請求項５）にしてもよい。
この場合、前記泡洗浄液生成装置は、前記洗剤液導入部への洗剤液の導入を遮断する洗剤液導入遮断手段を更に備えている構成（請求項６）とすることもできる。
【発明の効果】
【００１２】
本発明の外装建具材洗浄装置は、建物の外壁に形成された開口窓枠に支持された建具材を積極的に洗浄することを意図して提案されたものであり、その為、吐水口から吐出される洗浄液が該建具材面に沿って流下するよう、その吐出向きが設定されている。従って、洗浄液の大半が建具材の上部に向け吐出され、その建具材面に沿った流下に伴い、建具材面の洗浄が効果的になされる。しかも、洗浄液は、泡洗浄液生成装置によって生成された泡洗浄液とされ、給液管路を経て上記吐水口から吐出されるよう構成されているから、吐出された泡洗浄液は、気泡を含有することにより相対的な表面張力が高められて建具材面に対する付着力が大きくなり、建具材面をゆっくり流下する。従って、流下の際に、建具材面に付着する汚れを除去し、これにより、洗浄効果が飛躍的に高められる。
また、前記建具材の開閉状態を検知する開閉検知手段と、該開閉検知手段の検知信号に基づいて前記泡洗浄液の吐出を制御する制御手段とを備えた構成としているので、建具材の開閉状態に応じて、泡洗浄液の吐出の制御がなされる。従って、例えば、建具材が建物の室内と室外とを仕切るためのガラス窓等の場合、ガラス窓が開状態で洗浄作動すると、泡洗浄液が室内に流入する恐れがあるが、ガラス窓が開状態の場合は、洗浄作動をさせないよう制御することで、このようなことを防止できる。
【００１３】
請求項２の発明は、前記建具材を、ガラス材と、該ガラス材の四周を囲む框材とを有したガラス窓とした場合において、前記吐水用管路を、前記ガラス窓の框材上辺部内に配設している。従って、建具材の上方部位に吐水用管路を露出させて、配管等を行うものと比べて美観性を損なうことなく、意匠性に優れたものとなる。また、框材上辺部に吐水口が形成されるので、建具材面（ガラス面）へ吐出する際に、近傍位置から吐出されるため、周囲に飛散するようなことも低減できる。
【００１４】
請求項３或いは請求項４の発明のように、上記吐水口を、スリット状の開口からなるもの、或いは、多数の小孔からなるものとすることができるが、前者の場合は、建具材面に対するむらのない吐出が可能であり、また、後者の場合は吐出圧を高めることができると共に小孔を多数並設することにより同様の効果が得られる。これらの場合、スリットは建具材の上部に沿って水平方向に伸びる形状とされ、また小孔も同水平方向に沿って並設されるよう形成される。
【００１５】
請求項５の発明の場合、泡洗浄液生成装置において、給水源からの給水によって、洗剤液と水とが混合されて洗剤混合水（洗剤混合液）とされると共に、外気を吸い込み、微細気泡発生部において微細な気泡が生成されて該洗剤混合水に該微細な気泡を多数内包する泡洗浄液が生成される。従って、泡洗浄液が上記のように吐水口から吐出され、建具材面を流下する際、洗剤の洗浄作用によって建具材面に付着する汚れの除去がより効果的になされる。そして、この洗剤の洗浄作用と内包する微細気泡による上記流下遅延作用とが相俟って、洗浄効果がより高められる。
【００１６】
この場合、請求項６の発明のように、前記洗剤液導入部への洗剤液の導入を遮断する洗剤液導入遮断手段を更に備えるようにすれば、洗剤液の供給を遮断することによって、給水源から、前記泡洗浄液生成装置及び給液管路を経て、給水吐出のみを行うことが可能とされる。従って、上記洗剤混合液による洗浄の前或いは後に、給水吐出のみを行うようにすれば、プレ洗浄或いはすすぎ洗浄も行うことができる。洗剤液導入遮断手段は、例えば、ポンプ或いは制御弁（電磁弁等）、更にはこの両方の組合せから構成される。この洗剤液導入遮断手段を、事前に設定された制御シーケンスに基づき、制御することでプレ洗浄、本洗浄及びすすぎ洗浄を実施し得るよう構成することができる。
【発明を実施するための最良の形態】
【００１８】
以下に本発明の最良の実施の形態について、図面に基づいて説明する。図１は本発明に係る第１実施形態の外装建具材洗浄装置が設置された建物の開口窓枠部分の一例を概念的に示す一部破断正面図、図２（ａ）は、図１のＸ部分を横方向から見た概略模式説明図、（ｂ）は、図１のＹ部分を下方向から見た概略模式説明図、図３は建具材が開状態とされた状態を示す図１におけるＺ部の一部破断概略拡大図である。図４及び図５はいずれも吐水口の変形例を示し、それぞれ図２及び図３と同様図である。図６は本発明の外装建具材洗浄装置の一例を模式的に示すブロック図、図７は本発明の外装建具材洗浄装置の他例を模式的に示すブロック図、図８は本発明に係る外装建具材洗浄装置の基本動作の一例を示すフローチャートである。
【００１９】
図１に示す建物の外壁１には、建物の屋内と屋外とを連通する開口部が形成され、該開口部に開口窓枠２が固着されており、この開口窓枠２に開閉自在に１組のガラス窓（引き違いサッシ窓）４が支持されている。開口窓枠２は、上記開口部の上辺に固着された上枠２ａと、左右に固着された縦枠２ｂ、２ｂと、下辺に固着された下枠２ｃとからなり、これら各枠材は、それぞれ外壁１や枠桟８（図８参照）などにビス止め等により固定されている。
上枠２ａ、下枠２ｃには、それぞれ上レール２ｄ（図２参照）、下レール２ｆが形成されている。これら各レール２ｄ、２ｆは、いずれも室外側と室内側とに、２本づつ並設されている。
【００２０】
ガラス窓４は、室外側（図１における紙面手前側）の上記レールに取付けられた左ガラス窓４Ｌと、室内側（図１における紙面奥側）の上記レールに取付けられた右ガラス窓４Ｒとからなり、それぞれ、上記レールによって、開口窓枠２内を左右（図１における左右）にスライドする構成とされ、開口窓枠２の左右方向略中央位置の召し合せ部分で重なって閉じるようになっている。これらガラス窓４は、それぞれパネル状に形成されたガラス材４ａと、ガラス材４ａの四周を囲む框材とを有しており、該框材は、ガラス材４ａの上辺に取付けられた上辺框４ｂと、左右に取付けられた縦框４ｄ、４ｄと、下辺に取付けられた下辺框４ｃとから構成される。各框材の内周には、全周に亙って、ゴムなどの弾性部材からなるビード（グレイジングチャンネル）４ｅが嵌挿されており、このビード４ｅによって、ガラス材４ａが支持されている。
【００２１】
上辺框４ｂは、図２に示すように、断面視略Ｈ字状に形成され、内周側（紙面下方）には、上記したビード４ｅが嵌装され、外周側（紙面上方）には、上レール２ｄを受入れる凹溝が形成された樹脂部材４ｆが嵌装されている。
この上辺框４ｂに嵌装されているビード４ｅ内には、ガラス窓４の幅方向（図１における左右方向）に沿って、後記する外装建具材洗浄装置１０を構成する吐水用管路１２が設けられている。
尚、下辺框４ｃには、戸車（不図示）などが設けられている。また、縦框４ｄ、４ｄの召し合せ部分には、クレセント錠（不図示）などが設けられている。また、図示省略しているが、開口窓枠２の内周の適宜箇所及びガラス窓４の召し合せ部分には室外からの塵埃等の侵入を防ぐシール部材が配設されている。
【００２２】
外装建具材洗浄装置１０は、大略的に、給水源３に配管接続され、給水源３から供給された供給水に気泡を含有させた泡洗浄液を生成するための泡洗浄液生成装置１３と、この泡洗浄液生成装置１３に接続され、泡洗浄液を給液する給液管路１１と、ガラス窓４の上方に配管され、給液管路１１に接続された吐水用管路１２と、吐水用管路１２に形成され、泡洗浄液をガラス窓４ａの室外側ガラス面４ｈに向けて吐出するための吐水口１８と、各部を制御する制御盤２０とを備えている。
【００２３】
給水源３と泡洗浄液生成装置１３とは、給水管路１６で接続され、この給水管路１６は、上水道に直接接続されている。給水管路１６の途中には、制御弁（電磁弁）１６ａ（図６参照）が配設されている。尚、給水管路１６は、上水道に給湯器を介して接続するようにしてもよい。
泡洗浄液生成装置１３及び制御盤２０は、建物の内部に配設され、泡洗浄液生成装置１３の下流側に接続された給液管路１１は、上記開口窓枠２の下枠２ｃ及び縦枠２ｂ、２ｂに沿って、建物の内壁（不図示）と外壁１との間を配管されている。本実施形態では、図例のように、給液管路１１は、分岐部で分岐されて、左右の縦枠２ｂ、２ｂの両方に沿って、配設されている。左右の縦枠２ｂ、２ｂに沿って配管された給液管路１１は、縦枠２ｂ、２ｂの内周面２ｇの上方部位に導出される。この導出部位には、ソケット１１ａ（図３参照）が形成され、後記する吐水用管路１２のプラグ１２ｃとの接続がなされることによって、給液管路１１と吐水用管路１２とが連通接続される。
【００２４】
上記のように、給液管路１１を建物の内壁（不図示）と外壁１との間に配管するとともに、吐水用管路１２を上辺框４ｂ内に配設することで、外部に露出せず美観性を損なうことがない。
尚、泡洗浄液生成装置１３及び制御盤２０を建物の外部に配設し、給液管路１１及び吐水用管路１２も外壁１あるいは開口窓枠２に沿わせて配設するようにしてもよい。
【００２５】
上記左右の縦枠２ｂ、２ｂの内周面２ｇには、ガラス窓４の開閉状態を検知するための建具材開閉検知スイッチ２５がそれぞれ形成されている。
この建具材開閉検知スイッチ２５は、ガラス窓４がスライドされて閉められた際に、ガラス窓４の縦框４ｄの戸先端面４ｇによって押圧操作がなされ、閉状態の検知信号を後記するＣＰＵ２１に向けて送信する。一方、ガラス窓４がスライドされて開けられると、戸先端面４ｇによる押圧操作の解除がなされて、開状態の検知信号をＣＰＵ２１に向けて送信する。
尚、建具材の開閉状態を検知するための開閉検知手段としては、本実施形態のようなスイッチではなく、建具材の開閉状態を検知可能なものであればどのようなものでもよい。例えば、赤外線センサ、磁気センサなどとしてもよい。また、配設箇所も図例のものに限られず、例えば、ガラス窓４の召し合せ部分に配設するようにしてもよい。
【００２６】
吐水用管路１２は、ガラス窓４の幅方向に沿って形成された円筒状のパイプ部材と、このパイプ部材から下方に向けて延出し、先端部がビード４ｅから露出して、吐水用管路１２の長手方向（軸方向）に沿ったスリット状の開口となるスリット延出部１２ａと、スリット延出部１２ａの室外側先端辺の長手方向に沿って連設され、吐出される後記する泡洗浄液の吐出量と吐出向きを規制する規制片１２ｂとを有している。この規制片１２ｂと、スリット延出部１２ａの室内側先端辺との間に形成された隙間が、吐水口１８を構成するスリット開口１８ａとされている。このスリット開口１８ａから室外側ガラス面４ｈに向けて吐出された後記する泡洗浄液ＷＡは、幅方向に広がり、室外側ガラス面４ｈに沿って吐出される。
尚、図例の吐水用管路１２では、上記パイプ部材、スリット延出部１２ａ及び規制片１２ｂは、いずれも同部材としているが適宜、別部材で形成するようにしてもよい。
【００２７】
上記吐水口１８は、図２及び図３に示すようなスリット状の開口１８ａによるものの他、図４及び図５に示すような多数の小孔１８ｂ…からなるものであっても良い。即ち、図４及び図５に示すものでは、吐水用管路１２Ａは、ガラス窓４の幅方向に沿って形成された円筒状のパイプ部材と、このパイプ部材の長手方向に沿って所定間隔で下方に向けて突出し、先端部がビード４ｅから露出するノズル部１２ｄとを有している。ノズル部１２ｄは、断面視が略楕円形状とされ、ビード４ｅから露出した部位で室外側ガラス面４ｈに向けて屈曲されており、小孔１８ｂから吐出された後記する泡洗浄液ＷＡは、幅方向に広がり、室外側ガラス面４ｈに沿って吐出される。
小孔１８ｂの開口形状は、図例のような略楕円形に限らず、長軸がガラス窓４の幅方向に沿った長円、長方形であっても良い。また、小孔１８ｂの開口部に不図示の邪魔板部材や、上記のような規制片を配したものであっても良い。これらの形状等は、小孔１８ｂから吐出される泡洗浄液がガラス窓４の室外側ガラス面４ｈに沿って幅広く広がって流下するよう設定される。
尚、図例の吐水用管路１２Ａでは、上記パイプ部材、及びノズル部１２ｄは、いずれも同部材としているが適宜、別部材で形成するようにしてもよい。
【００２８】
上記吐水用管路１２（１２Ａ）の基端部には、上記上辺框４ｂの戸先端面４ｆから突出するプラグ１２ｃが形成されている。これらプラグ１２ｃ及び上記縦枠２ｂに形成されたソケット１１ａは、接続及び解除がガラス窓４のスライド動作によって、ワンタッチで着脱可能かつ、接続された際には、水密となるよう形成されている。
尚、上記の各吐水口１８を構成するスリット開口１８ａ及び小孔１８ｂが形成された吐水用管路１２、１２Ａは、上述のように分岐されて左右の各縦枠２ｂ、２ｂの内周面２ｇから導出された給液管路１１とそれぞれ連通される。すなわち、室外側レールに取付けられた左ガラス窓４Ｌの上辺框４ｂには、紙面左側の縦枠２ｂに沿って配管された給液管路１１と接続される吐水用管路１２Ｌ（１２ＡＬ）が内設され、室内側レールに取付けられた右ガラス窓４Ｒの上辺框４ｂには、紙面右側の縦枠２ｂに沿って配管された給液管路１１と接続される吐水用管路１２Ｒ（１２ＡＲ）が内設されている。
また、吐水用管路１２Ｌ（１２ＡＬ）及び吐水用管路１２Ｒ（１２ＡＲ）のそれぞれ先端部は、いずれも左ガラス窓４Ｌと右ガラス窓４Ｒとの召し合せ部分近傍で、閉塞されている。
【００２９】
泡洗浄液生成装置１３は、図６に示すように、前記給水管路１６が上流側に接続されたエジェクタ部１４Ａと、前記給液管路１１が下流側に接続された微細気泡発生部１４Ｂと、エジェクタ部１４Ａと微細気泡発生部１４Ｂとの間の管路に形成された洗剤液導入部１４Ｃと、洗剤液導入部１４Ｃに洗剤供給路１５ａを介して接続された洗剤タンク１５とを備える。洗剤タンク１５は洗剤液Ｓの供給口１５ｂを備えるが、この供給口１５ｂは、後記する制御盤２０と同様、建物の内部の適宜位置に設置される。
【００３０】
微細気泡発生部１４Ｂは、例えば、ベンチュリー管状部で構成され、このベンチュリー管状部１４Ｂの下流側出口に給液管路１１が接続されている。エジェクタ部１４Ａには、気体供給路１７が接続され、エジェクタ部１４Ａとベンチュリー管状部１４Ｂとの連結部の管路に形成された洗剤液導入部１４Ｃには上記洗剤供給路１５ａが接続されている。気体供給路１７はその基端側が大気に開放し、途中には気体の逆流を防止する為の逆止弁１７ａが設けられている。また、洗剤供給路１５ａは、その基端部が洗剤タンク１５内に貯留される洗剤液Ｓ内に没入され、途中にはポンプ１５ｃと、制御弁（電磁弁）１５ｄとがこの順序で設けられている。洗剤供給路１５ａは、ポンプ１５ｃと制御弁１５ｄとの間で分岐し、ポンプ１５ｃによって汲み上げられた洗剤液Ｓの一部を洗剤タンク１５に戻す為の循環路１５ｅを備えている。
【００３１】
尚、ポンプ１５ｃ及び制御弁１５ｄは、洗剤タンク１５から洗剤液導入部１４Ｃへの洗剤液の供給を遮断する洗剤液導入遮断手段を構成するものであり、図例では両者を備えたものを例示しているが、どちらか一方であっても良い。また、このような洗剤液導入遮断手段を設けず、給水管路１６からの給水の際における水流作用によって洗剤液Ｓを吸引させ、導入させるようにしても良い。さらに、ポンプ等を介して空気を導入するようにしてもよい。また、洗剤液導入部１４Ｃを、エジェクタ部１４Ａの上流部に設けるようにしてもよい。
また、本実施形態では、給水源３として上水道を適用し、その水圧により室外側ガラス面４ｈへの吐水口１８からの吐出圧が適切な吐出圧となるよう設定しているが、水圧を高めるためにさらにポンプ等を配設するようにしてもよい。
【００３２】
制御盤２０は、装置各部を制御し、クロックタイマ２１ａを有したＣＰＵ２１と、各種制御シーケンスやユーザにより設定された洗浄モードを記憶する記憶部２２と、洗浄動作を開始させるための洗浄開始ボタン２３ａを有し、その他洗浄モードの選択、洗浄実行時間を選択設定するための操作ボタン等を有した操作部２３と、報知用ＬＥＤ２６とを備えている。ＣＰＵ２１は、上記ポンプ１５ｃや制御弁１５ｄ、１６ａを制御し、また、建具材開閉検知スイッチ２５からの検知信号に基づいて泡洗浄液の吐出を制御する制御手段として機能する。尚、図において符号２４は、ＣＰＵ２１と各部を接続する信号線である。
【００３３】
図７は、上記泡洗浄液生成装置１３の変形例である泡洗浄液生成装置１３Ａを備えた外装建具材洗浄装置１０Ａを示すものであり、エジェクタ部１４Ａとベンチュリー管状部１４Ｂとの連結部の管路に洗剤液導入部を形成していない点で上記と異なる。水に微細気泡を内包させただけの泡洗浄液であっても、ある程度の洗浄能力を備えるので、洗剤の供給系のないものも製品仕様に加えることができる。その他の構成は上記と同様である。
【００３４】
上記のように構成された外装建具材洗浄装置１０（１０Ａ）を用いたガラス窓４の洗浄の要領について、図８のフローチャートに基づいて説明する。
洗浄開始ボタン２３ａの押下げ操作がなされると、ガラス窓（建具材）４の開閉状態を建具材開閉検知スイッチ２５からの検知信号を参照して判断し、ガラス窓４が閉じられた状態の場合は、ガラス窓４の洗浄動作を実行する（ステップ１００〜１０４）。
尚、プレ洗浄（ステップ１０２）、本洗浄（ステップ１０３）及びすすぎ洗浄（ステップ１０４）の詳細については後述する。
ガラス窓（建具材）４の開閉状態の判断は、左右の縦枠２ｂ、２ｂのそれぞれに配設された建具材開閉検知スイッチ２５からの検知信号に基づいて、左ガラス窓４Ｌ及び右ガラス窓４Ｒのいずれもが閉状態の場合にのみ閉状態と判断し、少なくともいずれか一方が開状態とされている場合は、開状態と判断する。
【００３５】
ステップ１０１において、ガラス窓４の開閉状態が開状態であった場合は、報知用ＬＥＤ２６を所定時間、点灯あるいは点滅させて、洗浄の実行が出来ないことを報知する（ステップ１０５、１０６）。
報知用ＬＥＤ２６が所定時間、点灯あるいは点滅している間に、ガラス窓４の閉状態を検知すると、洗浄を実行する（ステップ１０５，１０６、１０１〜１０４）。上記所定時間の間に、ガラス窓４の閉状態を検知しない、すなわち、ガラス窓４が開状態のままである場合は、洗浄動作の実行をキャンセルする（ステップ１０５〜１０７）。
【００３６】
上記のようにガラス窓４の開閉状態に基づいて、洗浄動作の実行の制御がなされるので、例えば、ガラス窓４が開いた状態で洗浄動作の実行がなされることがなく、吐水用管路１２（１２Ａ）と給液管路１１との連通接続がなされていない状態で、給液管路１１のソケット１１ａから流出した泡洗浄液が誤って室内に流入、飛散するようなことがない。
また、上記のように、洗浄の実行ができないことを報知する報知用ＬＥＤ２６を備えているので、ガラス窓４を閉める必要性を使用者に対して喚起できる。尚、このような報知手段としては、ＬＥＤによる点灯、点滅に限らず、例えば、音響出力手段を備え、ブザーや音声メッセージにより報知する態様としてもよい。
【００３７】
次に、ステップ１０２〜１０４で実行される洗浄動作について以下、説明する。
まず、洗剤供給系のポンプ１５ｃを作動させずまた制御弁１５ｄを閉じた状態で、給水管路１６の制御弁１６ａを開とすると、水又は温水Ｗがエジェクタ部１４Ａに流入し、この水流に伴うエジェクタ部１４Ａ内の負圧作用によって、気体供給路１７より外気が取り込まれ水に混合される。水と気体とが混合された状態でベンチュリー管状部１４Ｂに至ると、そのベンチュリー作用によって気泡が微細化し、多数の微細気泡を内包する泡洗浄液ＷＡとなって給液管路１１に供給される。給液管路１１に供給された泡洗浄液ＷＡは、吐水用管路１２（１２Ａ）に至り、更に吐水口１８からガラス窓４の室外側ガラス面４ｈに向けて吐出される。室外側ガラス面４ｈに向け吐出された泡洗浄液ＷＡは、多数の微細気泡を内包する為、相対的な表面張力が大きく室外側ガラス面４ｈに沿ってゆっくり流下する。この流下の際に、室外側ガラス面４ｈに付着する汚れ等を捕捉して室外側ガラス面４ｈを洗浄する。
【００３８】
上記洗浄は、洗剤を用いない洗浄であるが、ある程度の洗浄効果は得られるので、このような泡洗浄液ＷＡのみで洗浄を行うようにしても良い。この場合は、プレ洗浄、本洗浄、すすぎ洗浄の区別はなく、ステップ１０２〜１０４を本洗浄と捉えることも可能であり、また、このような場合は、図７に示す泡洗浄液生成装置１３Ａを備えた外装建具材洗浄装置１０Ａを用いることができる。
【００３９】
洗剤を用いて洗浄する場合は、上記洗浄をプレ洗浄（ステップ１０２）と位置付け、所定時間のプレ洗浄の後、ポンプ１５ｃを作動させ、制御弁１５ｄを開とすると、洗剤供給路１５ａを介して洗剤液導入部１４Ｃからエジェクタ部１４Ａとベンチュリー管状部１４Ｂとの連結部の管路に洗剤液Ｓが逐次供給され、気体と共に洗剤液Ｓが水に混合される。ベンチュリー管状部１４Ｂでは、上記の通り混入した気泡が微細化され、洗剤液Ｓ及び多数の微細気泡を含む泡洗浄液ＷＡＳとして給液管路１１に供給される。給液管路１１に供給された泡洗浄液ＷＡＳは、上記と同様に吐水口１８からガラス窓４の室外側ガラス面４ｈに向けて吐出され本洗浄（ステップ１０３）がなされる。室外側ガラス面４ｈに向け吐出された泡洗浄液ＷＡＳは、上記同様、室外側ガラス面４ｈに沿ってゆっくり流下するが、この場合は洗剤液Ｓを含むからその界面活性作用も相乗して微細気泡が更に多く発生し、流下速度も一層遅くなる。従って、これと洗剤液Ｓの洗浄作用とが相俟って、室外側ガラス面４ｈに付着する汚れ等の捕捉除去機能が一層向上し、飛躍的な洗浄効果が発揮される。
【００４０】
洗剤液Ｓを用いた洗浄の後は、すすぎ洗浄（ステップ１０４）を必要とする。従って、上記洗剤液Ｓを用いた洗浄を所定時間行った後、ポンプ１５ｃを停止させ、制御弁１５ｄを閉とすると、上記同様微細気泡を内包する水のみによる泡洗浄液ＷＡが、継続して吐水口１８からガラス窓４の室外側ガラス面４ｈに向けて吐出される。この吐出により、室外側ガラス面４ｈの表面に残存する洗剤液を含む泡洗浄液が流され、すすぎ洗浄がなされる。このようなプレ洗浄、洗剤を用いた本洗浄及びすすぎ洗浄の一連の洗浄工程は、給水管路１６の制御弁１６ａ、洗剤液導入遮断手段としてのポンプ１５ｃ及び制御弁１５ｄを、事前に設定された制御シーケンスに基づき、ＣＰＵ２１によって制御することでなされる。
【００４１】
尚、上記では、外装建具材洗浄装置１０（１０Ａ）の基本動作の一例として、洗浄開始ボタン２３ａの押下げ操作により洗浄がなされる動作を例示しているが、以下のようにしてもよい。
例えば、操作部２３の操作によって、所望の洗浄実行時間（洗浄実行時間の予約や洗浄動作時間の設定）を選択設定したり、定期的（例えば、４８時間毎や１週間毎など）に自動洗浄を実行する洗浄モードを選択設定したりすることもできる。
特に、建物が人通りの多い道路に面している場合等では、上記のような洗浄実行時間を設定することで、人通りの少ない時間帯等に洗浄を自動的に実行させることができる。
この場合にも、上記において説明したように、建具材の開閉状態に基づいて洗浄動作の実行を制御することで、上記同様の効果が得られる。
【００４２】
また、本実施形態では、外装建具材洗浄装置１０（１０Ａ）による洗浄対象として引き違いサッシ窓からなるガラス窓４を例示しているが、これに限られず、開口窓枠に開閉不能に嵌め込まれたいわゆる嵌め殺し窓や、開口窓枠に開閉自在に支持された内あるいは外開き窓、滑り出し窓、突き出し窓などを洗浄対象としてもよい。これらの場合は、適宜、吐水用管路１２の配設態様を変形したり、建具材開閉検知スイッチ２５の配設態様を変形したりすることで、本実施形態に係る外装建具材洗浄装置１０（１０Ａ）を適用できる。吐水用管路１２の配設態様としては、開口窓枠２の上枠２ａに沿って外壁面あるいは内壁と外壁１との間に配設し、上記したスリット開口１８ａや小孔１８ｂから吐出された泡洗浄液が各建具材面に沿って流下するようそれらの吐出向きを設定するようにしてもよい。また、開閉自在とされている洗浄対象については、上記同様、その開閉状態を検知して洗浄動作の実行を制御することが好ましい。
さらに、洗浄対象としては、ガラス窓に限らず、開口窓枠に支持された網戸や雨戸等を洗浄対象としてもよい。特に、網戸や凹凸のある雨戸等の場合にも泡洗浄液によって上記のように洗浄がなされるので、網戸の網目や雨戸の凹凸部にも泡洗浄液が行き渡り、それらを十分に洗浄できる。
【００４３】
次に、本発明に係る外装建具材洗浄装置の実施形態の他例を図９に基づいて説明する。図９は、第２実施形態に係る外装建具材洗浄装置の一例を模式的に示すブロック図である。
尚、上記第１実施形態とは、主に制御盤及び給液管路の構成が異なり、他の構成については、同様であるので説明を省略する。
【００４４】
図例の外装建具材洗浄装置１０Ｂは、制御盤２０Ａに形成された操作部２３に、洗浄対象を選択するための洗浄対象設定ボタン２３ｂが設けられている。
また、泡洗浄液生成装置１３の下流側に接続された給液管路１１Ａは、分岐部１１ｂで、雨戸用給液管路１１ｃ、網戸用給液管路１１ｄ及びガラス窓用給液管路１１ｅの３つに分岐されている。
これら各分岐された給液管路１１ｃ、１１ｄ及び１１ｅの途中には、それぞれ制御弁（電磁弁）１１ｆ、１１ｇ、１１ｈが配設されている。
尚、図において、符号５は、網戸、符号６は、雨戸をそれぞれ模式的に示している。
【００４５】
上記構成とされた本実施形態に係る外装建具材洗浄装置１０Ｂでは、使用者が洗浄対象設定ボタン２３ｂを操作して洗浄対象としてガラス窓４、網戸５、雨戸６のいずれかを選択し、洗浄開始ボタン２３ａの押下げ操作をすることで、制御弁（電磁弁）１１ｆ、１１ｇ、１１ｈを選択された洗浄対象に応じて適宜、制御し、各洗浄対象の洗浄がなされる。
本実施形態では、ガラス窓４を洗浄するための吐水用管路１２は、上記同様とされている。
【００４６】
また、網戸５及び雨戸６を洗浄するための吐水用管路１２も上記同様、網戸５、雨戸６のそれぞれ上辺框に配設するとともに、縦枠（網戸５の場合は、縦枠のいずれか一方のみ）に上記同様の給液管路を配設して、その縦枠に向けて閉じられた際に、上記同様に給液管路と吐水用管路との連通接続がなされるようにしてもよい。あるいは吐水用管路を、開口窓枠２の上枠２ａに沿って外壁面あるいは内壁と外壁１との間に配設し、網戸５、雨戸６のそれぞれに対して泡洗浄液が吐出されるよう吐水口１８を設けるようにしてもよい。
あるいは、雨戸６が収容されている戸袋（不図示）の上部に雨戸６を洗浄するための吐水用管路を配設し、戸袋内で雨戸６を洗浄するようにしてもよい。
尚、本実施形態においてもガラス窓４の開閉状態を検知して洗浄動作の実行を制御することが好ましい。
また、本実施形態において、上記第１実施形態で図７に基づいて説明した泡洗浄液生成装置１３Ａを適用するようにしてもよい。
【００４７】
次に、本発明に係る外装建具材洗浄装置の実施形態の更に他例を図１０に基づいて説明する。図１０は、第３実施形態に係る外装建具材洗浄装置を模式的に示す概略断面図である。
尚、上記第１実施形態とは、主に吐水用管路の構成が異なり、他の構成については、同様であるので説明を省略する。
また、図１０では、給水源３、制御盤２０、泡洗浄液生成装置１３（１３Ａ）は、図示省略している。
【００４８】
本実施形態に係る外装建具材洗浄装置１０Ｃでは、吐水用管路をガラス窓４Ａの上辺框４Ａｂのビード４Ａｅ内に配設しておらず、外壁１と内壁（不図示）との間に配設された給液管路１１Ｂは、外壁１を貫通し、外壁１の表面に固着された庇７内を配設され、庇７の裏面７ａから導出されて、その裏面７ａに固着された吐水用管路１２Ｂと連通接続されている。
この吐水用管路１２Ｂは、開口窓枠２に支持されたガラス窓４の幅方向に沿って長尺に形成され、そのガラス窓４の幅方向と略同幅となるよう形成されている。
吐水用管路１２Ｂの下方には、その長手方向に沿って、スリット状に開口するスリット延出部１２ｅが連設され、その下方の開口が吐水口１８Ａを構成するスリット開口１８Ａとされている。この場合、上記した規制片１２ｂを設けるようにしてもよい。
あるいは、吐水用管路１２Ｂの下方に、その長手方向に沿って所定間隔で多数のノズル部を並設するようにしてもよい。
尚、本実施形態でもガラス窓４Ａ開閉状態を検知して洗浄動作の実行を制御することが好ましい。
【００４９】
本実施形態では、上記構成により、簡易な構成で、ガラス窓４Ａを洗浄するための外装建具材洗浄装置１０Ｃを構成でき、設置も容易となる。
また、スリット開口１８´からの泡洗浄液の吐出量及び吐出圧を調整することにより、図示のガラス窓４Ａのみならず、ガラス窓４Ａのさらに室外側に取付けられた網戸や雨戸等の洗浄も可能となる。
【００５０】
尚、泡洗浄液生成装置の構成は、上記したものに限られず、給水源から供給された供給水に気泡を含有させて泡洗浄液を生成可能なものであればよい。また、泡洗浄液に含有させる気泡は、ミクロンオーダーのマイクロバブルや、ナノオーダーのナノバブルとしてもよい。
【図面の簡単な説明】
【００５１】
【図１】本発明に係る一実施形態の外装建具材洗浄装置が適用された建物の開口窓枠部分の一例を概念的に示す一部破断正面図である。
【図２】（ａ）は、図１のＸ部分を横方向から見た概略模式説明図、（ｂ）は、図１のＹ部分を下方向から見た概略模式説明図である。
【図３】板状体が開状態とされた状態を示す図１におけるＺ部の一部破断概略拡大図である。
【図４】吐水口の変形例を示す図２と同様図である。
【図５】吐水口の変形例を示す図３と同様図である。
【図６】本発明の外装建具材洗浄装置の一例を模式的に示すブロック図である。
【図７】本発明の外装建具材洗浄装置の他例を模式的に示すブロック図である。
【図８】本発明に係る外装建具材洗浄装置の基本動作の一例を示すフローチャートである。
【図９】本発明に係る外装建具材洗浄装置の他例を模式的に示すブロック図である。
【図１０】本発明に係る外装建具材洗浄装置の更に他例を模式的に示す概略断面図である。
【符号の説明】
【００５２】
１      外壁
２      開口窓枠
２ａ      上枠（開口窓枠）
２ｂ、２ｂ´      縦枠（開口窓枠）
２ｃ      下枠（開口窓枠）
３      給水源
４、４Ａ      ガラス窓（建具材）
４Ｌ、４ＡＬ      左ガラス窓（ガラス窓、建具材）
４Ｒ、４ＡＲ      右ガラス窓（ガラス窓、建具材）
４ａ      ガラス材
４ｂ、４Ａｂ      上辺框（框材上辺部、框材）
４ｃ      下辺框（框材）
４ｄ      縦框（框材）
５      網戸（建具材）
６      雨戸（建具材）
１０、１０Ａ、１０Ｂ、１０Ｃ      外装建具材洗浄装置
１１、１１Ａ、１１Ｂ      給液管路
１２、１２Ａ、１２Ｂ      吐水用管路
１３、１３Ａ      泡洗浄液生成装置
１４Ａ      エジェクタ部
１４Ｂ      ベンチュリー管状部（微細気泡発生部）
１４Ｃ      洗剤液導入部
１５ｃ      ポンプ（洗剤液導入遮断手段）
１５ｄ      制御弁（洗剤液導入遮断手段）
１８、１８Ａ      吐水口
１８ａ      スリット開口（吐水口）
１８ｂ      小孔（吐水口）
２１      ＣＰＵ（制御手段）
２５      建具材開閉検知スイッチ（開閉検知手段）
Ｓ      洗剤液
ＷＡ，ＷＡＳ      泡洗浄液
【図１】
0005060860.tif 000002
【図２】
0005060860.tif 000003
【図３】
0005060860.tif 000004
【図４】
0005060860.tif 000005
【図５】
0005060860.tif 000006
【図６】
0005060860.tif 000007
【図７】
0005060860.tif 000008
【図８】
0005060860.tif 000009
【図９】
0005060860.tif 000010
【図１０】
0005060860.tif 000011